(57)【要約】【課題】同期検波処理の処理量を削減すること。【解決手段】逆拡散部１０４−１〜１０４−ｎは、ＣＰＩＣＨについて受信信号を逆拡散する。逆拡散部１０５−１〜１０５−ｎは、ＤＰＣＨについて受信信号を逆拡散する。位相推定部１０６−１〜１０６−ｎは、シンボル平均を行い、位相推定値を算出する。同期検波部１０７−１〜１０７−ｎは、データの同期検波を行う。積分部１０８−１〜１０８−ｎは、複数ビットから構成されるＴＰＣをＩ成分とＱ成分それぞれで積分を行う。同期検波部１０９−１〜１０９−ｎは、ＴＰＣ信号の同期検波を行う。ＲＡＫＥ合成部１１２は、ＴＰＣ信号のＲＡＫＥ合成処理を基地局毎に行う。ＴＰＣ判定部１１３は、受信したＴＰＣビットから送信電力の増減を決定する。送信電力制御部１１４は、現送信電力に増減値を加えた値を新しい送信電力値としてＲＦ部１０２を制御する。【選択図】　　　図１
2004048179.tif 000002
【特許請求の範囲】
【請求項１】
受信信号をシンボル単位で逆拡散する逆拡散手段と、逆拡散した受信信号をＩＱ成分別に時間で積分する積分手段と、前記積分の結果をＩＱ成分別に検波を行う同期検波手段と、を具備することを特徴とする無線通信装置。
【請求項２】
逆拡散手段は、シンボルの複素共役成分の送信順序を入れ替えた複素共役シンボルと前記シンボルとを組み合わせたＳＴＴＤ符号化信号をシンボル単位で逆拡散し、積分手段は、逆拡散されたＳＴＴＤ符号化信号をＩＱ成分別に時間で積分し、積分後のＳＴＴＤ符号化信号について複素共役成分シンボルの順序を元の順序に並べなおした後、前記シンボルと前記複素共役シンボルとを合成することを特徴とする請求項１に記載の無線通信装置。
【請求項３】
送信電力制御の指示を含むＴＰＣの指示に従い送信電力を決定する送信電力制御手段と、前記送信電力で無線信号を送信する送信手段と、を具備し、逆拡散手段は、前記ＴＰＣのシンボルを逆拡散し、同期検波手段は、前記ＴＰＣのシンボルを検波してＴＰＣを得ることを特徴とする請求項１または請求項２に記載の無線通信装置。
【請求項４】
積分手段は、前記シンボルの位相を推定する時間単位でシンボルを積分することを特徴とする請求項１に記載の無線通信装置。
【請求項５】
着信の通知を示すＰＩＣＨの指示に従い自局に着信があるか否か判定するＰＩＣＨ判定手段を具備し、逆拡散手段は、着信の通知を示すＰＩＣＨのシンボルを逆拡散し、同期検波手段は、逆拡散されたＰＩＣＨのシンボルを検波してＰＩＣＨの指示情報を得ることを特徴とする請求項１または請求項４に記載の無線通信装置。
【請求項６】
シンボル単位で逆拡散した受信信号を積分した結果が所定の値以下であるか否か判断する制御手段を具備し、同期検波手段は、前記シンボルを積分した結果が所定の値以下である場合、同期検波を停止することを特徴とする請求項５に記載の無線通信装置。
【請求項７】
請求項１から請求項６のいずれかに記載の無線通信装置を具備することを特徴とする基地局装置。
【請求項８】
請求項１から請求項６のいずれかに記載の無線通信装置を具備することを特徴とする通信端末装置。
【請求項９】
受信信号のシンボルを逆拡散する逆拡散ステップと、逆拡散したシンボルをＩＱ成分別に時間で積分する積分ステップと、前記積分の結果をＩＱ成分別に検波を行う同期検波ステップと、を演算装置またはコンピュータに実行させる無線通信プログラム。
【請求項１０】
受信信号のシンボルを逆拡散し、逆拡散したシンボルをＩＱ成分別に時間で積分し、前記積分の結果をＩＱ成分別に検波を行う無線通信方法。
【発明の詳細な説明】
【０００１】
【発明の属する技術分野】
本発明は、無線通信装置及び無線通信方法に関し、特に符号分割多元接続（Ｃｏｄｅ　Ｄｉｖｉｓｉｏｎ　Ｍｕｌｔｉｐｌｅ　Ａｃｃｅｓｓ；以下、ＣＤＭＡという）に用いて好適な無線通信装置及び無線通信方法に関する。
【０００２】
【従来の技術】
近年、自動車・携帯電話等の陸上移動通信に対する需要が著しく増加しており、高速・高品質伝送と共に限られた周波数帯域で多くの加入者容量を確保するために周波数有効利用技術が重要となっている。
【０００３】
周波数有効利用のための多元接続方式の一つとしてＣＤＭＡ方式が注目されている。ＣＤＭＡ方式は、スペクトル拡散通信技術を利用した多元接続方式であり、マルチパス歪みの影響を受けにくい通信方式である。また、ＣＤＭＡ方式は、ＲＡＫＥ受信を行うことにより、ダイバーシチ効果も期待できる特徴を持つ。
【０００４】
このＲＡＫＥ受信では、受信局は、移動体通信において送信局から送信波が直接受信局に到来する直接波と、建物などにより反射されて受信局に到来する反射波とを受信して合成する。反射波の経路は多数あることから、多数の経路（マルチパス）の反射波が、受信局に受信される。
【０００５】
したがって、受信局は、多くの経路を経由した受信信号の合成波を受信する。しかしながら、これらの受信信号は、それぞれの経路による伝搬遅延が発生する。この伝搬遅延により、受信局においては受信信号同士が干渉を起こしてフェージングを起こす。
【０００６】
ＣＤＭＡ方式の拡散符号は、時間的にオフセットされると自己相関が小さくなる。これを利用して、逆拡散部において、伝搬遅延時間に対応した位相オフセットが与えられた拡散符号により逆拡散を行うと、その位相オフセットに対応する伝搬遅延時間の受信信号を得ることができる。すなわち、拡散符号の位相に伝搬遅延時間に相当する位相オフセットを与えることにより、受信信号のそれぞれを相互に干渉を起こすことなくそれぞれの信号を取得することができる。従って、逆拡散部を並列に複数設けてそれぞれの逆拡散部において、受信信号の伝搬遅延時間に対応した位相オフセットを与えた拡散符号を用いて逆拡散処理を行うことにより、複数伝搬路の受信信号を独立に得ることができる。
【０００７】
このようにして得た複数の受信信号を、合成部において所定の重みを与えて加算合成することにより、良好な復調信号を得ることができる。このようにして受信する方式をＲＡＫＥ受信と呼び、複数の経路からの受信信号を選択的に逆拡散して合成できることから、パスダイバーシティ受信を行うことができるものである。
【０００８】
一方で、現在３ＧＰＰ（３ｒｄ　Ｇｅｎｅｒａｔｉｏｎ　Ｐａｒｔｎｅｒｓｈｉｐ　Ｐｒｏｊｅｃｔ）において標準化活動が進められているＣＤＭＡ通信システムでは、共通パイロットチャネル（ＣＰＩＣＨ：Ｃｏｍｍｏｎ　ＰＩｌｏｔ　ＣＨａｎｎｅｌ）というチャネルが存在する。これは、既知情報の信号を常に送信しているチャネルで、このチャネルを用いることにより移動局は、パイロットシンボルを含まない通信チャネルに対しても伝搬路推定を行い、同期検波をすることが可能である。また、物理チャネルの中には、ＰＩＣＨ（Ｐａｇｉｎｇ　Ｉｎｄｉｃａｔｏｒ　ＣＨａｎｎｅｌ）やＤＰＣＨ（Ｄｅｄｉｃａｔｅｄ　Ｐｈｙｓｉｃａｌ　ＣＨａｎｎｅｌ）があり、前者は、各ユーザに対して１或いは０の複数ビットを送信し、着信の通知を行う。後者は、各ユーザのデータの通信に用いられる。特にＤＰＣＨによる通信では、１或いは０の複数ビットから構成されるＴＰＣビットを用いてのクローズドループ送信電力制御を行い、基地局と移動局双方の送信電力を常に最適に保つように制御を行っている。
【０００９】
以下、図７を用いて、従来の無線通信装置について説明する。図７は、従来の無線通信装置の構成を示すブロック図である。図７において、無線通信装置１０は、アンテナ１１と、ＲＦ部１２と、Ａ／Ｄ変換部１３と、逆拡散部１４−１〜１４−ｎと、位相推定部１５−１〜１５−ｎと、逆拡散部１６−１〜１６−ｎと、同期検波部１７−１〜１７−ｎと、ＲＡＫＥ合成部１８と、チャネルデコーダ１９と、ＲＡＫＥ合成部２０と、積分部２１と、ＴＰＣ判定部２２と、送信電力制御部２３と、チャネルエンコーダ２４と、Ｄ／Ａ変換部２５とから主に構成される。
【００１０】
アンテナ１１は、受信波を受信し、得られた受信信号をＲＦ部１２に出力する。ＲＦ部１２は、受信信号を増幅、及びベースバンド周波数に変換し、Ａ／Ｄ変換部１３に出力する。Ａ／Ｄ変換部１３は、受信信号をアナログ信号からディジタル信号に変換し、逆拡散部１４−１〜１４−ｎ及び逆拡散部１６−１〜１６−ｎに出力する。
【００１１】
逆拡散部１４−１〜１４−ｎは、ＣＰＩＣＨについて受信信号を逆拡散し、得られた遅延プロファイルを位相推定部１５−１〜１５−ｎに出力する。位相推定部１５−１〜１５−ｎは、ＣＰＩＣＨの遅延プロファイルから１以上のシンボル平均を行い、位相推定値を算出する。そして、位相推定部１５−１〜１５−ｎは、位相平均値を同期検波部１７−１〜１７−ｎ及び電力測定部２０に出力する。
【００１２】
逆拡散部１６−１〜１６−ｎは、ＤＰＣＨについて受信信号を逆拡散し、得られた遅延プロファイルを同期検波部１７−１〜１７−ｎに出力する。
【００１３】
同期検波部１７−１〜１７−ｎは、データ信号に位相推定値の複素共役を乗算して同期検波を行い、同期検波により得られたデータ信号をＲＡＫＥ合成部１８に出力する。ＲＡＫＥ合成部１８は、データ信号のＲＡＫＥ合成を行い、ＲＡＫＥ合成後のデータ信号をチャネルデコーダ１９に出力する。
【００１４】
チャネルデコーダ１９は、復調したデータ信号に対して誤り訂正などを行う。ＲＡＫＥ合成部２０は、ＴＰＣ信号のＲＡＫＥ合成処理を基地局毎に行い、ＲＡＫＥ合成後のＴＰＣ信号を積分部２１に出力する。積分部は、複数ビットから構成されるＴＰＣを積分し、ＴＰＣ判定部２２に出力する。
【００１５】
ＴＰＣ判定部２２は、受信したＴＰＣビットから３ＧＰＰで規定されている制御方法に基づいて送信電力の増減を決定する。そして、ＴＰＣ判定部２２は、送信電力の増減の指示を送信電力制御部２３に出力する。送信電力制御部２３は、現送信電力に増減値を加えた値を新しい送信電力値としてＲＦ部１２を制御する。
【００１６】
チャネルエンコーダ２４は、伝送信号から送信信号を生成してＤ／Ａ変換部２５に出力する。Ｄ／Ａ変換部２５は、送信信号をディジタル信号からアナログ信号に変換し、変換後の送信信号をＲＦ部１２に出力する。
【００１７】
このように、ＤＰＣＨによる通信中の無線受信装置では、図７に示すようにＴＰＣを同期検波、基地局毎にＲＡＫＥ合成し、複数のビットから構成される場合は積分を行った後に、この値から送信電力の制御を行っている。
【００１８】
図８は、従来の無線通信装置の構成を示すブロック図である。但し、図７と同一の構成となるものについては、図７と同一番号を付し、詳しい説明を省略する。図８の無線通信装置３０は、積分部３１と、電力測定部３２と、ＰＩＣＨ判定部３３と、を更に具備する。
【００１９】
積分部３１は、複数ビットから構成されるＰＩＣＨをＩ成分とＱ成分それぞれで積分を行う。そして、積分部３１は、積分後のＰＩＣＨ信号をＰＩＣＨ判定部３３に出力する。電力測定部３２は、ＣＰＩＣＨの電力測定を行い、測定結果をＰＩＣＨ判定部３３に出力する。
【００２０】
ＰＩＣＨ判定部３３は、ＰＩＣＨとＣＰＩＣＨの受信電力比を測定し、ＰＩＣＨの受信電力が閾値以上ならば有効なデータと判定し、その符号より着信の有無を判定する。
【００２１】
このように、ＰＩＣＨ受信時には、図８に示すように、ＣＰＩＣＨの位相推定値を用いて同期検波及びＲＡＫＥ合成を行い、複数のビットから構成されている場合は積分を行った後、電力を測定し、この値とＣＰＩＣＨとの電力比判定を行った後、有効と判断した場合、その符号から着信を判定している。
【００２２】
ここで、クローズドループ送信電力制御を行うためには１スロット毎に制御を行う必要があり、よってＴＰＣ受信から送信電力を更新するまでの時間は非常に制限されたものである。よって、ＴＰＣの同期検波、ＲＡＫＥ合成、判定、送信電力の更新の処理をいかに削減するかが重要である。また、ＰＩＣＨ受信時の処理量削減は、待ち受け時間の増大に影響するため非常に重要である。
【００２３】
【発明が解決しようとする課題】
しかしながら、従来の装置においては、ＴＰＣの同期検波の処理量及びＰＩＣＨ受信時の同期検波の処理量が多いという問題がある。
【００２４】
本発明はかかる点に鑑みてなされたものであり、ＴＰＣ同期検波処理の処理量を削減する無線通信装置及び無線通信方法を提供することを目的とする。
【００２５】
また、ＰＩＣＨ受信時の同期検波処理の処理量を削減する無線通信装置及び無線通信方法を提供することを目的とする。
【００２６】
【課題を解決するための手段】
本発明の無線通信装置は、受信信号をシンボル単位で逆拡散する逆拡散手段と、逆拡散した受信信号をＩＱ成分別に時間で積分する積分手段と、前記積分の結果をＩＱ成分別に検波を行う同期検波手段と、を具備する構成を採る。
【００２７】
この構成によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができる。
【００２８】
本発明の無線通信装置は、逆拡散手段は、シンボルの複素共役成分の送信順序を入れ替えた複素共役シンボルと前記シンボルとを組み合わせたＳＴＴＤ符号化信号をシンボル単位で逆拡散し、積分手段は、逆拡散されたＳＴＴＤ符号化信号をＩＱ成分別に時間で積分し、積分後のＳＴＴＤ符号化信号について複素共役成分シンボルの順序を元の順序に並べなおした後、前記シンボルと前記複素共役シンボルとを合成する構成を採る。
【００２９】
この構成によれば、逆拡散したシンボルをＩＱ成分別にシンボル単位の時間で積分し、積分後に複素共役のシンボルを送信前の元の順序に並べ替え、同期検波を行うことにより、各復調対象シンボルに対して，同じ値の位相推定値を用いる限りにおいては，性能劣化することなくＳＴＴＤ符号化された信号に対して同期検波の処理量を削減することができる。
【００３０】
本発明の無線通信装置は、送信電力制御の指示を含むＴＰＣの指示に従い送信電力を決定する送信電力制御手段と、前記送信電力で無線信号を送信する送信手段と、を具備し、逆拡散手段は、前記ＴＰＣのシンボルを逆拡散し、同期検波手段は、前記ＴＰＣのシンボルを検波してＴＰＣを得る構成を採る。
【００３１】
この構成によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができ、少ない処理量でＴＰＣを同期検波することができる。
【００３２】
本発明の無線通信装置は、積分手段は、前記シンボルの位相を推定する時間単位でシンボルを積分する構成を採る。
【００３３】
１フレームあたりのシンボル数が多い場合であっても、性能劣化がほとんどないような同期検波を行うことができる。
【００３４】
本発明の無線通信装置は、着信の通知を示すＰＩＣＨの指示に従い自局に着信があるか否か判定するＰＩＣＨ判定手段を具備し、逆拡散手段は、着信の通知を示すＰＩＣＨのシンボルを逆拡散し、同期検波手段は、逆拡散されたＰＩＣＨのシンボルを検波してＰＩＣＨの指示情報を得る構成を採る。
【００３５】
この構成によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができ、少ない処理量で着信の有無を判定することができる。
【００３６】
本発明の無線通信装置は、受信信号をシンボル単位で積分した結果が所定の値以下であるか否か判断する制御手段を具備し、同期検波手段は、前記シンボルを積分した結果が所定の値以下である場合、同期検波を停止する構成を採る。
【００３７】
この構成によれば、受信レベルの小さいフィンガの同期検波及びＲＡＫＥ合成処理を停止することにより処理量を削減でき、また復調性能を向上することができる。
【００３８】
本発明の基地局装置は、上記無線通信装置を具備する構成を採る。本発明の通信端末装置は、上記無線通信装置を具備する構成を採る。
【００３９】
本発明の無線通信プログラムは、受信信号のシンボルを逆拡散する逆拡散ステップと、逆拡散したシンボルをＩＱ成分別に時間で積分する積分ステップと、前記積分の結果をＩＱ成分別に検波を行う同期検波ステップと、を演算装置またはコンピュータに実行させる構成を採る。
【００４０】
これらの構成によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができる。
【００４１】
本発明の無線通信方法は、受信信号のシンボルを逆拡散し、逆拡散したシンボルをＩＱ成分別に時間で積分し、前記積分の結果をＩＱ成分別に検波を行うようにした。
【００４２】
この方法によれば、逆拡散したシンボルをＩＱ成分別に時間で積分し、この積分の結果をＩＱ成分別に検波を行うことにより、位相推定値を同じ値として処理することができ、フィンガ毎に位相推定値を含む積分を行う必要がなくなり、同期検波の処理量を削減することができる。
【００４３】
【発明の実施の形態】
本発明者は、逆拡散したシンボルを同期検波した後に、積分する手順で行う従来の方法では、各復調対象シンボルに対して同期検波処理を行う必要があり、同期検波の処理量が増大する点に着目し、本発明をするに至った。
【００４４】
すなわち、本発明の骨子は、逆拡散したシンボルをＩＱ成分別に時間で積分し、この積分の結果をＩＱ成分別に検波を行うことである。
【００４５】
以下、本発明の実施の形態について図面を参照して詳細に説明する。
（実施の形態１）
本実施の形態に係る通信方法は、ＴＰＣビットの性質を利用し、同期検波処理の前に予め積分を行うことにより同期検波処理の処理量を削減する方法である。
【００４６】
以下、図１を用いて、本実施の形態に係る装置について説明する。図１は、本発明の実施の形態１に係る無線通信装置の構成を示すブロック図である。
【００４７】
図１において、無線通信装置１００は、アンテナ１０１と、ＲＦ部１０２と、Ａ／Ｄ変換部１０３と、逆拡散部１０４−１〜１０４−ｎと、逆拡散部１０５−１〜１０５−ｎと、位相推定部１０６−１〜１０６−ｎと、同期検波部１０７−１〜１０７−ｎと、積分部１０８−１〜１０８−ｎと、同期検波部１０９−１〜１０９−ｎと、ＲＡＫＥ合成部１１０と、チャネルデコーダ１１１と、ＲＡＫＥ合成部１１２と、ＴＰＣ判定部１１３と、送信電力制御部１１４と、チャネルエンコーダ１１５と、Ｄ／Ａ変換部１１６と、から主に構成される。
【００４８】
アンテナ１０１は、受信波を受信し、得られた受信信号をＲＦ部１０２に出力する。また、ＲＦ部１０２から出力された送信信号を無線信号として送信する。ＲＦ部１０２は、受信信号を増幅、及びベースバンド周波数に変換し、Ａ／Ｄ変換部１０３に出力する。また、ＲＦ部１０２は、Ｄ／Ａ変換部１１６から出力された送信信号を無線周波数に変換、及び増幅し、アンテナ１０１に出力する。
【００４９】
Ａ／Ｄ変換部１０３は、受信信号をアナログ信号からディジタル信号に変換し、逆拡散部１０４−１〜１０４−ｎ及び逆拡散部１０５−１〜１０５−ｎに出力する。
【００５０】
逆拡散部１０４−１〜１０４−ｎは、ＣＰＩＣＨについて受信信号を逆拡散し、得られた遅延プロファイルを位相推定部１０６−１〜１０６−ｎに出力する。逆拡散部１０５−１〜１０５−ｎは、ＤＰＣＨについて受信信号を逆拡散し、得られた遅延プロファイルを同期検波部１０７−１〜１０７−ｎ及び積分部１０８−１〜１０８−ｎに出力する。
【００５１】
位相推定部１０６−１〜１０６−ｎは、ＣＰＩＣＨ及びＤＰＣＨの遅延プロファイルから１以上のシンボル平均を行い、位相推定値を算出する。そして、位相推定部１０６−１〜１０６−ｎは、位相平均値を同期検波部１０７−１〜１０７−ｎに出力する。同期検波部１０７−１〜１０７−ｎは、データの同期検波を行い、同期検波により得られたデータ信号をＲＡＫＥ合成部１１０に出力する。
【００５２】
積分部１０８−１〜１０８−ｎは、複数ビットから構成されるＴＰＣをＩ成分とＱ成分それぞれで積分を行う。そして、積分部１０８−１〜１０８−ｎは、積分後のＴＰＣ信号を同期検波部１０９−１〜１０９−ｎに出力する。同期検波部１０９−１〜１０９−ｎは、ＴＰＣ信号の同期検波を行い、ＲＡＫＥ合成部１１２に出力する。
【００５３】
ＲＡＫＥ合成部１１０は、データ信号のＲＡＫＥ合成を行い、ＲＡＫＥ合成後のデータ信号をチャネルデコーダ１１１に出力する。チャネルデコーダ１１１は、復調したデータ信号に対して誤り訂正などを行う。ＲＡＫＥ合成部１１２は、ＴＰＣ信号のＲＡＫＥ合成処理を基地局毎に行い、ＲＡＫＥ合成後のＴＰＣ信号をＴＰＣ判定部１１３に出力する。
【００５４】
ＴＰＣ判定部１１３は、受信したＴＰＣビットから３ＧＰＰで規定されている制御方法に基づいて送信電力の増減を決定する。そして、ＴＰＣ判定部１１３は、送信電力の増減の指示を送信電力制御部１１４に出力する。送信電力制御部１１４は、現送信電力に増減値を加えた値を新しい送信電力値としてＲＦ部１０２を制御する。
【００５５】
チャネルエンコーダ１１５は、伝送信号から送信信号を生成してＤ／Ａ変換部１１６に出力する。Ｄ／Ａ変換部１１６は、送信信号をディジタル信号からアナログ信号に変換し、変換後の送信信号をＲＦ部１０２に出力する。
【００５６】
次に、本実施の形態に係る無線通信装置のＴＰＣ復調の動作について説明する。ここでは、ＴＰＣ復調処理について、まず従来の方法を示し、本発明の方法を示す。なお、ここでは、簡単のために１つの基地局のみから受信していると仮定する。
【００５７】
従来の方法では、まず、式（１）を用い、逆拡散値に対してフィンガ毎に同期検波を行う。
【００５８】
【数１】
2004048179.tif 000003
ここで、ｌは、フィンガ番号を示し、ｍはスロット番号を示し、ｎはシンボル番号を示す。また、ｄｔｐｃ−ｄｅｓｐｒｅａｄ（ｌ，ｍ，ｎ）は、逆拡散後信号を示し、ｃ＊（ｌ，ｍ）は、位相推定値の複素共役を示し、ｄｔｐｃ−ｃｏｈｅ（ｌ，ｍ，ｎ）は、同期検波後信号を示す。
【００５９】
そして、同期検波後は、式（２）及び式（３）に示す複数ビットの積分が行われる。
【００６０】
【数２】
2004048179.tif 000004
【数３】
2004048179.tif 000005
なお、ｄｔｐｃ−ｃｏｈｅ＿ｓｕｍ（ｌ，ｍ）は、積分後のＴＰＣ信号を示し、ｄｔｐｃ−ｏｕｔ（ｒ，ｍ）は、基地局毎のＴＰＣ復調結果を示す。また、ｒは基地局番号を示し、Ｎｆはその基地局に割り当てられているフィンガ数を表し、Ｎｔｐｃは、ＴＰＣのビット数である。なお、最終的にはＩ、Ｑ成分間の積分も行う。
【００６１】
一方、本発明では、ＴＰＣビットが全て＋１または−１である性質を利用することにより、同期検波処理の前段階で複数ビットの積分を行う。つまり、最初に、式（４）及び式（５）を用いてシンボル単位で積分を行う。
【００６２】
【数４】
2004048179.tif 000006
ここで、ｄｔｐｃ−ｄｅｓｐｒｅａｄ＿ｓｕｍ（ｌ，ｍ，ｎ）は、逆拡散後のＴＰＣ信号を積分した結果を示す。そして、以下の式（５）に示すように、逆拡散後のＴＰＣ信号に位相推定値を乗算する。
【００６３】
【数５】
2004048179.tif 000007
ここで、位相推定値ｃ＊（ｌ，ｍ）が全ビットに対し同じ値を用いる限り等価であることが以下の式（６）で示すことができる。
【００６４】
【数６】
2004048179.tif 000008
よって、同期検波部１０９−１〜１０９−ｎの前段に積分部１０８−１〜１０８−ｎを設けることにより、同期検波処理を（Ｎｔｐｃ／２）−１回削減することができる。
【００６５】
このように、本実施の形態の無線通信装置によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができ、少ない処理量でＴＰＣを同期検波することができる。
【００６６】
（実施の形態２）
本実施の形態に係る通信方法は、ＴＰＣビットの性質を利用し、同期検波処理の前に予め積分を行うことにより送信ダイバーシチ（ＳＴＴＤ：Ｓｐａｃｅ　　Ｔｉｍｅ　　Ｔｒａｎｓｍｉｔ　　Ｄｉｖｅｒｓｉｔｙ）時の同期検波処理の処理量を削減する方法である。ＳＴＴＤでは、複数のアンテナから同じシンボルを異なる順序で送信する。
【００６７】
２つのアンテナからシンボルを送信するＳＴＴＤの例について説明する。図２は、ＳＴＴＤにおける符号化パターンの例を示す図である。
【００６８】
元のデータ系列及び元のデータ系列の複素共役をとり、隣り合う２つのシンボルの順序を入れ替え、符号を変えた２つのデータ系列に変換する。
【００６９】
図２において元のデータ系列２０１は、Ｓ（１）、Ｓ（２）、Ｓ（３）、Ｓ（４）の順である。そして、元のデータ系列の複素共役２０２は、−Ｓ（２）＊、Ｓ（１）＊、−Ｓ（４）＊、Ｓ（３）＊の順に並べ替えられている。そして、元のデータ系列２０１と元のデータ系列の複素共役２０２とは、それぞれ異なるアンテナから送信される。
【００７０】
従って、ＳＴＴＤ符号化された信号を受信する場合、シンボル単位で並べ替えられたデータ系列を元の順序に並べ替える必要がある。
【００７１】
以下、図３を用いて、本実施に係る装置について説明する。図３は、本発明の実施の形態２に係る無線通信装置の構成を示すブロック図である。但し、図１と同一の構成となるものについては、図１と同一番号を付し、詳しい説明を省略する。
【００７２】
図３の無線通信装置３００は、積分部３０１−１〜３０１−ｎと、同期検波部３０２−１〜３０２−ｎと、同期検波部３０３−１〜３０３−ｎとを具備し、積分後に複素共役のシンボルを送信前の元の順序に並べ替え、同期検波を行う点が図１の無線通信装置と異なる。
【００７３】
逆拡散部１０５−１〜１０５−ｎは、ＤＰＣＨについて受信信号を逆拡散し、得られた遅延プロファイルを同期検波部３０２−１〜３０２−ｎ及び積分部３０１−１〜３０１−ｎに出力する。
【００７４】
位相推定部１０６−１〜１０６−ｎは、ＣＰＩＣＨ及びＤＰＣＨの遅延プロファイルから１以上のシンボル平均を行い、位相推定値を算出する。そして、位相推定部１０６−１〜１０６−ｎは、位相平均値を同期検波部３０２−１〜３０２−ｎに出力する。
【００７５】
同期検波部３０２−１〜３０２−ｎは、データの同期検波を行い、同期検波により得られたデータ信号をＳＴＴＤデコードして複素共役のシンボルを送信前の元の順序に並べ替え、並べ替えたデータ信号をＲＡＫＥ合成部１１０に出力する。
【００７６】
積分部３０１−１〜３０１−ｎは、複数ビットから構成されるＴＰＣをＩ成分とＱ成分それぞれで積分を行う。そして、積分部３０１−１〜３０１−ｎは、積分後のＴＰＣ信号を同期検波部３０３−１〜３０３−ｎに出力する。同期検波部３０３−１〜３０３−ｎは、ＴＰＣ信号の同期検波を行い、同期検波により得られたＴＰＣ信号をＳＴＴＤデコードして複素共役のシンボルを送信前の元の順序に並べ替え、並べ替えたＴＰＣ信号をＲＡＫＥ合成部１１２に出力する。
【００７７】
ＲＡＫＥ合成部１１０は、データ信号のＲＡＫＥ合成を行い、ＲＡＫＥ合成後のデータ信号をチャネルデコーダ１１１に出力する。
【００７８】
次に、本実施の形態に係る無線通信装置のＴＰＣ復調の動作について説明する。ここでは、ＴＰＣ復調処理について、まず従来の方法を示し、本発明の方法を示す。なお、ここでは、簡単のために１つの基地局のみから受信していると仮定する。
【００７９】
従来の方法では、まず、式（７）及び式（８）を用い、逆拡散値に対してフィンガ毎に同期検波（ＳＴＴＤデコード）を行う。
【００８０】
【数７】
2004048179.tif 000009
【数８】
2004048179.tif 000010
ここで、２ｋはｎの偶数シンボル番号、２ｋ＋１は奇数シンボル番号を表す。同期検波後、式（９）及び式（１０）を用いて複数ビットの積分を行う。
【００８１】
【数９】
2004048179.tif 000011
【数１０】
2004048179.tif 000012
なお、ｄｔｐｃ−ｃｏｈｅ＿ｓｕｍ（ｌ，ｍ）は、積分後のＴＰＣ信号を示し、ｄｔｐｃ−ｏｕｔ（ｒ，ｍ）は、基地局毎のＴＰＣ復調結果を示す。また、ｒは基地局番号を示し、Ｎｆはその基地局に割り当てられているフィンガ数を表し、Ｎｔｐｃは、ＴＰＣのビット数である。なお、最終的にはＩ、Ｑ成分間の積分も行う。
【００８２】
一方、本発明では、ＴＰＣビットが全て＋１または−１である性質を利用することにより、同期検波処理の前段階で複数ビットの積分を行う。つまり、最初に、式（１１）及び式（１２）を用いてシンボル単位で積分を行う。
【００８３】
【数１１】
2004048179.tif 000013
【数１２】
2004048179.tif 000014
ここで、ｄｔｐｃ−ｓｕｍ＿ｅｖｅｎ（ｌ，ｍ，ｎ）及びｄｔｐｃ−ｓｕｍ＿ｏｄｄ（ｌ，ｍ，ｎ）は、逆拡散後のＴＰＣ信号を積分した結果を示す。そして、以下の式（１３）に示すように、逆拡散後のＴＰＣ信号に位相推定値を乗算する。
【００８４】
【数１３】
2004048179.tif 000015
ここで、位相推定値ｃ＊（ｌ，ｍ）が全ビットに対し同じ値を用いる限り等価であることが以下の式（１４）で示すことができる。
【００８５】
【数１４】
2004048179.tif 000016
よって、同期検波部１０９−１〜１０９−ｎの前段に積分部１０８−１〜１０８−ｎを設けることにより、同期検波処理を（Ｎｔｐｃ／２）−１回削減することができる。
【００８６】
このように、本実施の形態の無線通信装置によれば、逆拡散したシンボルをＩＱ成分別にシンボル単位の時間で積分し、積分後に複素共役のシンボルを送信前の元の順序に並べ替え、同期検波を行うことにより、各復調対象シンボルに対して，同じ値の位相推定値を用いる限りにおいては，性能劣化することなくＳＴＴＤ符号化された信号に対して同期検波の処理量を削減することができる。
【００８７】
（実施の形態３）
本実施の形態に係る通信方法は、ＰＩＣＨビットの性質を利用し、同期検波処理の前に予め積分を行うことにより同期検波処理の処理量を削減する方法である。
【００８８】
ＰＩＣＨ（Ｐａｇｉｎｇ　Ｉｎｄｉｃａｔｏｒ　　ＣＨａｎｎｅｌ）は、移動機のバッテリーセービングの向上のため、間欠受信比率を低減することを目的として設定されたチャネルである。
【００８９】
ＰＩＣＨは、移動機に対して着信の有無を通知するためのＰａｇｉｎｇ　Ｉｎｄｉｃａｔｏｒを送信しており、待ち受け中の移動機は、通常、このＰａｇｉｎｇ　Ｉｎｄｉｃａｔｏｒのみを受信する。Ｐａｇｉｎｇ　Ｉｎｄｉｃａｔｏｒにて着信があることを知らされた場合のみ、移動機は、Ｐａｇｉｎｇ　Ｉｎｄｉｃａｔｏｒに対応するＳ−ＣＣＰＣＨ（Ｓｅｃｏｎｄａｒｙ　　Ｃｏｍｍｏｎ　　Ｃｏｎｔｒｏｌ　Ｐｈｙｓｉｃａｌ　ＣＨａｎｎｅｌ）上の無線フレーム内のＰＣＨ（Ｐｈｙｓｉｃａｌ　ＣＨａｎｎｅｌ）を受信する。
【００９０】
ＰＩＣＨのフレームは、複数のＰａｇｉｎｇ　Ｉｎｄｉｃａｔｏｒが格納されている。図４は、ＰＩＣＨのフレーム構成の一例を示す図である。図４のフレームでは、１０ｍｓのフレームに３００ｂｉｔが格納されており、その内の２８８ｂｉｔで複数の群のＰａｇｉｎｇ　Ｉｎｄｉｃａｔｏｒを構成している。残りの１２ｂｉｔは、未使用であり、送信されない。
【００９１】
あるＰａｇｉｎｇ　Ｉｎｄｉｃａｔｏｒが着信に設定されていた場合、そのＰａｇｉｎｇ　Ｉｎｄｉｃａｔｏｒに属する通信端末装置は、ＰＩＣＨに関連づけられたＳ−ＣＣＰＣＨの対応するフレーム内のＰＣＨを読まなければならない。
【００９２】
以下、図５を用いて、本実施に係る装置について説明する。図５は、本発明の実施の形態３に係る無線通信装置の構成を示すブロック図である。
【００９３】
図５において、無線通信装置５００は、アンテナ５０１と、ＲＦ部５０２と、Ａ／Ｄ変換部５０３と、逆拡散部５０４−１〜５０４−ｎと、位相推定部５０５−１〜５０５−ｎと、逆拡散部５０６−１〜５０６−ｎと、積分部５０７−１〜５０７−ｎと、同期検波部５０８−１〜５０８−ｎと、ＲＡＫＥ合成部５０９と、電力測定部５１０と、ＰＩＣＨ判定部５１１と、から主に構成される。
【００９４】
アンテナ５０１は、受信波を受信し、得られた受信信号をＲＦ部５０２に出力する。ＲＦ部５０２は、受信信号を増幅、及びベースバンド周波数に変換し、Ａ／Ｄ変換部５０３に出力する。Ａ／Ｄ変換部５０３は、受信信号をアナログ信号からディジタル信号に変換し、逆拡散部５０４−１〜５０４−ｎ及び逆拡散部５０６−１〜５０６−ｎに出力する。
【００９５】
逆拡散部５０４−１〜５０４−ｎは、ＣＰＩＣＨについて受信信号を逆拡散し、得られた遅延プロファイルを位相推定部５０５−１〜５０５−ｎに出力する。位相推定部５０５−１〜５０５−ｎは、ＣＰＩＣＨの遅延プロファイルから１以上のシンボル平均を行い、位相推定値を算出する。そして、位相推定部５０５−１〜５０５−ｎは、位相平均値を同期検波部５０８−１〜５０８−ｎ及び電力測定部５１０に出力する。
【００９６】
逆拡散部５０６−１〜５０６−ｎは、ＤＰＣＨについて受信信号を逆拡散し、得られた遅延プロファイルを積分部５０７−１〜５０７−ｎに出力する。積分部５０７−１〜５０７−ｎは、複数ビットから構成されるＴＰＣをＩ成分とＱ成分それぞれで積分を行う。そして、積分部５０７−１〜５０７−ｎは、積分後のＴＰＣ信号を同期検波部５０８−１〜５０８−ｎに出力する。
【００９７】
同期検波部５０８−１〜５０８−ｎは、データ信号に位相推定値の複素共役を乗算して同期検波を行い、同期検波により得られたデータ信号をＲＡＫＥ合成部５０９に出力する。ＲＡＫＥ合成部５０９は、データ信号のＲＡＫＥ合成を行い、ＲＡＫＥ合成後のデータ信号をＰＩＣＨ判定部５１１に出力する。
【００９８】
電力測定部５１０は、ＣＰＩＣＨの電力測定を行い、測定結果をＰＩＣＨ判定部５１１に出力する。
【００９９】
ＰＩＣＨ判定部５１１は、ＰＩＣＨとＣＰＩＣＨの受信電力比を測定し、ＰＩＣＨの受信電力が閾値以上ならば有効なデータと判定し、その符号より着信の有無を判定する。
【０１００】
次に、本実施の形態に係る無線通信装置のＰＩＣＨ復調の動作について説明する。
【０１０１】
ここで、ＴＰＣ復調と異なるのは、ＴＰＣビットは、割り当てられる時間幅が５１２ｃｈｉｐ以内と短いのに対し、ＰＩＣＨは、最大の場合で、２５６×８ｃｈｉｐの時間幅に送信されるため、ＴＰＣ用位相推定値は全シンボルに対し同じものを使用しても性能劣化が小さい。これに対し、ＰＩＣＨでは位相推定値を短期間に更新したほうが性能がよい。
【０１０２】
以下、例として、ＰＩＣＨシンボル数Ｎｐｉｃｈ＝８ｓｙｍｂｏｌであり、位相推定値は５１２ｃｈｉｐ毎に更新する場合を考える。
【０１０３】
ここでは、ＰＩＣＨ復調処理について、まず従来の方法を示し、本発明の方法を示す。なお、ここでは、簡単のために１つの基地局のみから受信していると仮定する。従来の方法では、まず、逆拡散値に対してフィンガ毎に同期検波を行う。
【０１０４】
従来の方法では、まず、式（１５）を用い、逆拡散値に対してフィンガ毎に同期検波を行う。
【０１０５】
【数１５】
2004048179.tif 000017
ここで、ｌは、フィンガ番号を示し、ｍはスロット番号を示し、ｎはシンボル番号を示す。ｒは位相推定値の番号（この例の場合は、ｒは、ｎ／２の切捨てしたもの。よって、ＰＩＣＨ２シンボル毎に更新される。）を示す。また、ｄｔｐｃ−ｄｅｓｐｒｅａｄ（ｌ，ｍ，ｎ）は、逆拡散後信号を示し、ｃ＊（ｌ，ｍ）は、位相推定値の複素共役を示し、ｄｔｐｃ−ｃｏｈｅ（ｌ，ｍ，ｎ）は、同期検波後信号を示す。
【０１０６】
そして、同期検波後は、式（１６）及び式（１７）に示す複数ビットの積分が行われる。
【０１０７】
【数１６】
2004048179.tif 000018
【数１７】
2004048179.tif 000019
なお、ｄｐｉｃｈ−ｒａｋｅ（ｌ，ｍ，ｎ）は、ＲＡＫＥ合成後のＰＩＣＨ信号を示し、ｄｔｐｃ−ｏｕｔ（ｍ）は、シンボル積分したＰＩＣＨ復調結果を示す。
【０１０８】
一方、本発明では、ＰＩＣＨビットが全て＋１または−１である性質を利用することにより、同期検波処理の前段階で位相推定値の更新周期単位で逆拡散信号の積分を行う。つまり、最初に、式（１８）、式（１９）、式（２０）、及び式（２１）を用いてシンボル単位で積分を行う。
【０１０９】
【数１８】
2004048179.tif 000020
【数１９】
2004048179.tif 000021
【数２０】
2004048179.tif 000022
【数２１】
2004048179.tif 000023
ここで、実施の形態１と同様に位相推定値ｃ＊（ｌ，ｍ）が全ビットに対し同じ値を用いる限り等価であることを示すことができる。
【０１１０】
よって、同期検波部５０８−１〜５０８−ｎの前段に積分部５０７−１〜５０７−ｎを設けることにより、同期検波処理を削減することができる。なお、送信ダイバーシチ時で且つＣＰＩＣＨ位相推定値の更新周期を１０２４ｃｈｉｐといったＰＩＣＨの４ｓｙｍｂｏｌ以上の間隔で更新する場合、実施の形態２で示したように、偶数シンボル、奇数シンボル毎に積分を行うことにより処理量を削減することができる。
【０１１１】
このように、本実施の形態の無線通信装置によれば、逆拡散したシンボルをＩＱ成分別に時間で積分し、この積分の結果をＩＱ成分別に検波を行うことにより、各復調対象シンボルに対して，同じ値の位相推定値を用いる限りにおいては，性能劣化することなく同期検波の処理量を削減することができ、少ない処理量で着信の有無を判定することができる。
【０１１２】
なお、実施の形態２と実施の形態３とを組み合わせて適用し、ＳＴＴＤ時のＰＩＣＨ復調処理において、同期検波の処理量を削減することもできる。
【０１１３】
（実施の形態４）
本実施の形態に係る通信方法は、受信逆拡散データの電力を測定し、受信電力が小さいフィンガの同期検波、ＲＡＫＥ合成処理を停止する方法である。
【０１１４】
以下、図６を用いて、本実施に係る装置について説明する。図６は、本発明の実施の形態４に係る無線通信装置の構成を示すブロック図である。但し、図５と同一の構成となるものについては、図５と同一番号を付し、詳しい説明を省略する。
【０１１５】
図６の無線通信装置６００は、制御部６０１と、同期検波部６０２−１〜６０２−ｎとを具備し、受信レベルの小さいフィンガの同期検波及びＲＡＫＥ合成処理を停止する点が図５の無線通信装置と異なる。
【０１１６】
位相推定部５０５−１〜５０５−ｎは、ＣＰＩＣＨの遅延プロファイルから１以上のシンボル平均を行い、位相推定値を算出する。そして、位相推定部５０５−１〜５０５−ｎは、位相平均値を同期検波部５０８−１〜５０８−ｎ及び電力測定部５１０に出力する。
【０１１７】
積分部５０７−１〜５０７−ｎは、複数ビットから構成されるＴＰＣをＩ成分とＱ成分それぞれで積分を行う。そして、積分部５０７−１〜５０７−ｎは、積分後のＴＰＣ信号を同期検波部６０２−１〜６０２−ｎと制御部６０１に出力する。
【０１１８】
制御部６０１は、積分部５０７−１〜５０７−ｎの出力するデータから電力測定を行い、閾値より小さい受信電力のフィンガに対し、同期検波及びＲＡＫＥ合成処理を停止するように制御する。一例として、制御部６０１は、各フィンガの受信電力の最大値からある値を掛け閾値を算出する。そして、制御部６０１は、同期検波の停止指示を同期検波部６０２−１〜６０２−ｎに出力する。
【０１１９】
同期検波部６０２−１〜６０２−ｎは、データ信号に位相推定値の複素共役を乗算して同期検波を行い、同期検波により得られたデータ信号をＲＡＫＥ合成部５０９に出力する。ＲＡＫＥ合成部５０９は、データ信号のＲＡＫＥ合成を行い、ＲＡＫＥ合成後のデータ信号をＰＩＣＨ判定部５１１に出力する。
【０１２０】
このように、本実施の形態の無線通信装置によれば、受信レベルの小さいフィンガの同期検波及びＲＡＫＥ合成処理を停止することにより処理量を削減でき、また復調性能を向上することができる。
【０１２１】
なお、説明では、ＰＩＣＨについて説明したが、ＴＰＣ復調に関しても同様に制御することが可能である。
【０１２２】
なお、本発明は上記実施の形態に限定されず、種々変更して実施することが可能である。例えば、上記実施の形態では、無線通信装置として行う場合について説明しているが、これに限られるものではなく、この無線通信方法をソフトウェアとして行うことも可能である。
【０１２３】
例えば、上記無線通信方法を実行するプログラムを予めＲＯＭ（Ｒｅａｄ　Ｏｎｌｙ　Ｍｅｍｏｒｙ）に格納しておき、そのプログラムをＣＰＵ（Ｃｅｎｔｒａｌ　Ｐｒｏｃｅｓｓｏｒ　Ｕｎｉｔ）などの演算装置によって動作させるようにしても良い。
【０１２４】
また、上記無線通信方法を実行するプログラムを演算装置またはで読み取り可能な記憶媒体に格納し、記憶媒体に格納されたプログラムを演算装置またはコンピュータのＲＡＭ（Ｒａｎｄｏｍ　Ａｃｃｅｓｓ　ｍｅｍｏｒｙ）に記録して、演算装置またはコンピュータをそのプログラムにしたがって動作させるようにしても良い。
【０１２５】
また、本発明のＣＤＭＡ受信装置は、通信端末装置または基地局装置に搭載して上記ＣＤＭＡ受信装置と同様の効果を得ることができる。
【０１２６】
【発明の効果】
以上説明したように、本発明の無線通信装置及び無線通信方法によれば、逆拡散したシンボルをＩＱ成分別に時間で積分し、この積分の結果をＩＱ成分別に検波を行うことにより、同期検波処理の処理量を削減することができる。
【図面の簡単な説明】
【図１】本発明の実施の形態１に係る無線通信装置の構成を示すブロック図
【図２】ＳＴＴＤにおける符号化パターンの一例を示す図
【図３】本発明の実施の形態２に係る無線通信装置の構成を示すブロック図
【図４】ＰＩＣＨのフレーム構成の一例を示す図
【図５】本発明の実施の形態３に係る無線通信装置の構成を示すブロック図
【図６】本発明の実施の形態４に係る無線通信装置の構成を示すブロック図
【図７】従来の無線通信装置の構成を示すブロック図
【図８】従来の無線通信装置の構成を示すブロック図
【符号の説明】
１０４−１〜１０４−ｎ、１０５−１〜１０５−ｎ、５０４−１〜５０４−ｎ、５０６−１〜５０６−ｎ　逆拡散部
１０６−１〜１０６−ｎ、５０５−１〜５０５−ｎ　位相推定部
１０７−１〜１０７−ｎ、１０９−１〜１０９−ｎ、３０２−１〜３０２−ｎ、３０３−１〜３０３−ｎ、５０８−１〜５０８−ｎ、６０２−１〜６０２−ｎ同期検波部
１０８−１〜１０８−ｎ、３０１−１〜３０１−ｎ、５０７−１〜５０７−ｎ積分部
１１０、１１２、５０９　ＲＡＫＥ合成部
１１３　ＴＰＣ判定部
１１４　送信電力制御部
５１０　電力測定部
５１１　ＰＩＣＨ判定部
６０１　制御部
【図１】
2004048179.tif 000024
【図２】
2004048179.tif 000025
【図３】
2004048179.tif 000026
【図４】
2004048179.tif 000027
【図５】
2004048179.tif 000028
【図６】
2004048179.tif 000029
【図７】
2004048179.tif 000030
【図８】
2004048179.tif 000031